(57)【要約】【課題】各レゾルバの出力信号の何れか一つに異常が発生した場合においても高精度のトルク検出が可能なトルクセンサを提供すること。【解決手段】対応する各レゾルバが出力する各正弦信号及び各余弦信号の何れか一方の出力信号が異常となる信号故障が発生した場合には、信号故障の生じていないレゾルバが設けられた側の回転角（機械角）に基づいて、当該信号故障の生じたレゾルバの電気角を概算する（概算電気角θer）。次に、その概算電気角θerが、トーションバーの捩れにより生ずる回転角差により、真の電気角と符号が逆転しない範囲にあるか否かを判定する。そして、当該符号の逆転が生じない範囲内にある場合には、同概算電気角θerから符号を特定した上で、他方の正常な出力信号の振幅に基づいて、その異常と判定された出力信号に当該異常がないとした場合の振幅を推定することにより、対応する各軸の回転角を演算する。【選択図】図７
2010286310.tif 000002
【特許請求の範囲】
【請求項１】
トーションバーを介して連結された第１軸及び第２軸のそれぞれの回転に応じて正弦波状に振幅が変化する正弦信号及び余弦波状に振幅が変化する余弦信号を出力する一対のレゾルバと、該各正弦信号及び余弦信号の各振幅に基づき前記第１軸及び第２軸の回転角を演算し、その回転角差に基づき前記トーションバーを介して伝達されるトルクを検出するトルク検出手段とを備えたトルクセンサにおいて、
前記各レゾルバの各出力信号のうちの何れか一つが異常となる信号故障が生じた場合に、該信号故障の生じていないレゾルバが設けられた側の前記回転角に基づき前記信号故障の生じたレゾルバの電気角を概算する概算手段と、
前記概算手段により概算された概算電気角が前記第１軸及び第２軸間の回転角差によっても符号の逆転が生じない範囲内にあるか否かを判定する適合判定手段とを備え、
前記トルク検出手段は、前記概算電気角が前記符号の逆転が生じない範囲内にある場合には、前記信号故障の生じたレゾルバの各出力信号のうち正常な出力信号の振幅に基づき前記異常と判定された出力信号に該異常がないとした場合における該出力信号の振幅を推定し、その推定された振幅及び前記正常な出力信号の振幅に基づいて、前記信号故障が生じたレゾルバが設けられた側の前記回転角を演算すること、を特徴とするトルクセンサ。
【請求項２】
請求項１に記載のトルクセンサにおいて、
前記符号の逆転が生じない範囲は、前記異常と判定された出力信号に該異常がないとした場合における該出力信号の振幅変化が、前記正常な出力信号の振幅変化よりも小さな範囲に設定されること、を特徴とするトルクセンサ。
【請求項３】
請求項１又は請求項２に記載のトルクセンサにおいて、
前記符号の逆転が生じない範囲は、前記異常と判定された出力信号の振幅が該異常のない場合に最大となる電気角を基準として、その基準電気角から前記異常と判定された出力信号の振幅波形と前記正常な出力信号の振幅波形とが交差する交差電気角までの範囲、及び前記基準電気角から該基準電気角を挟んで前記交差電気角と対称の位置関係にある対称電気角までの範囲に設定されること、を特徴とするトルクセンサ。
【請求項４】
請求項１〜請求項３のうち何れか一項に記載のトルクセンサを備えた電動パワーステアリング装置。
【発明の詳細な説明】
【技術分野】
【０００１】
本発明は、トーションバーの両端に設けられた一対のレゾルバを備えてなるトルクセンサ及びこれを用いる電動パワーステアリング装置に関するものである。
【背景技術】
【０００２】
従来、車両用のパワーステアリング装置には、モータを駆動源とする電動パワーステアリング装置（ＥＰＳ）がある。通常、このようなＥＰＳにおいて、その操舵系に付与するアシスト力の制御は、トルクセンサを用いてステアリングシャフトを介して伝達される操舵トルクを検出することにより行なわれる。そして、従来、そのトルクセンサとしては、ステアリングシャフトの途中に設けられたトーションバーとその両端に設けられた一対のレゾルバとを備えてなる所謂ツインレゾルバ型のものが広く採用されている（例えば、特許文献１参照）。
【０００３】
即ち、レゾルバには、測定精度及び耐環境性が高いという特徴があり、特に、その回転に応じて正弦波状に振幅が変化する正弦信号及び余弦波状に振幅が変化する余弦信号を出力する（一相励磁）二相出力型のレゾルバは、（二相励磁）一相出力型のレゾルバと比較して、温度や配線インピーダンスの影響を受け難いという利点を有している。このため、その高い検出精度と信頼性が要求されるＥＰＳ用のトルクセンサには、こうした二相出力型のレゾルバを用いるのが一般的となっている。
【０００４】
さて、このような二相出力型のレゾルバを用いたトルクセンサでは、先ず、各レゾルバが出力する正弦信号及び余弦信号の振幅に基づいて、トーションバーを介して連結された各軸の回転角が演算される。そして、その二軸間の回転角差、即ちトーションバーの捻れ角に基づいて、当該トーションバーを介して伝達されるトルクを検出する構成となっている。
【０００５】
また、その各出力信号の振幅間には三平方の定理が成立する。即ち、温度等の影響がない場合、正弦信号及び余弦信号の二乗和は「１」となることから、これを利用してレゾルバの異常を判定することができる（例えば、特許文献２参照）。そして、何れかのレゾルバに異常が生じたものと判定され、トルクセンサによる操舵トルクの検出が不能となった場合には、速やかにパワーアシスト制御を停止してフェールセーフを図ることにより、その安全性を高めることが可能になる。
【先行技術文献】
【特許文献】
【０００６】
【特許文献１】特開２００４−２９４２６５号公報
【特許文献２】特開２００５−３５１８４８号公報
【発明の概要】
【発明が解決しようとする課題】
【０００７】
しかしながら、近年、運転者の負荷を軽減して、その利便性の更なる向上を図るべく、何らかの異常が発生した場合でも、その安全性が確保される限りにおいて、そのアシスト力付与の継続が求められるようになっている。そして、この点を考慮した場合、上記のような故障判定及びその判定結果に基づくフェールセーフ制御の実行に関しては、なお改善の余地を残すものとなっており、その対策が求められていた。
【０００８】
本発明は、上記問題点を解決するためになされたものであって、その目的は、各レゾルバの出力信号の何れか一つに異常が発生した場合においても高精度のトルク検出が可能なトルクセンサ、及びその安全性を確保しつつアシスト力付与を継続することのできる電動パワーステアリング装置を提供することにある。
【課題を解決するための手段】
【０００９】
上記問題点を解決するために、請求項１に記載の発明は、トーションバーを介して連結された第１軸及び第２軸のそれぞれの回転に応じて正弦波状に振幅が変化する正弦信号及び余弦波状に振幅が変化する余弦信号を出力する一対のレゾルバと、該各正弦信号及び余弦信号の各振幅に基づき前記第１軸及び第２軸の回転角を演算し、その回転角差に基づき前記トーションバーを介して伝達されるトルクを検出するトルク検出手段とを備えたトルクセンサにおいて、前記各レゾルバの各出力信号のうちの何れか一つが異常となる信号故障が生じた場合に、該信号故障の生じていないレゾルバが設けられた側の前記回転角に基づき前記信号故障の生じたレゾルバの電気角を概算する概算手段と、前記概算手段により概算された概算電気角が前記第１軸及び第２軸間の回転角差によっても符号の逆転が生じない範囲内にあるか否かを判定する適合判定手段とを備え、前記トルク検出手段は、前記概算電気角が前記符号の逆転が生じない範囲内にある場合には、前記信号故障の生じたレゾルバの各出力信号のうち正常な出力信号の振幅に基づき前記異常と判定された出力信号に該異常がないとした場合における該出力信号の振幅を推定し、その推定された振幅及び前記正常な出力信号の振幅に基づいて、前記信号故障が生じたレゾルバが設けられた側の前記回転角を演算すること、を要旨とする。
【００１０】
即ち、一相励磁二相出力型のレゾルバでは、その二相の出力信号の振幅間、つまり正弦信号の振幅と余弦信号の振幅との間には、三平方の定理が成立する。従って、その二相の出力信号の何れか一方が異常と判定された場合であっても、正弦信号及び余弦信号の各振幅についての二乗和の式を解くことにより、他方の正常な出力信号の振幅に基づいて、その異常と判定された出力信号（異常相）に当該異常がないとした場合の振幅（の絶対値）を推定することが可能である。しかしながら、その二乗和の式を解くことで得られる値は、あくまで絶対値のみである。
【００１１】
この点、上記構成によれば、信号故障の生じたレゾルバの電気角が、その符号の逆転が生じない範囲（電気角範囲）、即ち異常相の振幅の符号を特定することが可能な範囲においてのみ、その異常相の振幅推定を実行することが可能になる。その結果、各レゾルバの何れか一つの出力信号に異常が発生した場合においても高精度なトルク検出を行なうことができる。
【００１２】
請求項２に記載の発明は、前記符号の逆転が生じない範囲は、前記異常と判定された出力信号に該異常がないとした場合における該出力信号の振幅変化が、前記正常な出力信号の振幅変化よりも小さな範囲に設定されること、を要旨とする。
【００１３】
上記構成によれば、確実に、符号の逆転が生じない範囲にあるか否かを判定することができるようになる。
請求項３に記載の発明は、前記符号の逆転が生じない範囲は、前記異常と判定された出力信号の振幅が該異常のない場合に最大となる電気角を基準として、その基準電気角から前記異常と判定された出力信号の振幅波形と前記正常な出力信号の振幅波形とが交差する交差電気角までの範囲、及び前記基準電気角から該基準電気角を挟んで前記交差電気角と対称の位置関係にある対称電気角までの範囲に設定されること、を要旨とする。
【００１４】
即ち、このように設定される範囲内では、その異常と判定された出力信号に当該異常がないとした場合におけるその振幅変化は、正常な出力信号の振幅変化よりも小さな値をとる。従って、上記構成によれば、より確実に、符号の逆転が生じない範囲にあるか否かを判定することができるようになる。
【００１５】
請求項４に記載の発明は、請求項１〜請求項３のうち何れか一項に記載のトルクセンサを備えた電動パワーステアリング装置であること、を要旨とする。
上記構成によれば、トルクセンサを構成する各レゾルバの出力信号の何れか一つに異常が発生した場合においても高精度な操舵トルクの推定を可能として、そのアシスト力付与を継続することができるとともに、併せて高い安全性を確保することができる。
【発明の効果】
【００１６】
本発明によれば、各レゾルバの出力信号の何れか一つに異常が発生した場合においても高精度のトルク検出が可能なトルクセンサ、及びその安全性を確保しつつアシスト力付与を継続することが可能な電動パワーステアリング装置を提供することができる。
【図面の簡単な説明】
【００１７】
【図１】電動パワーステアリング装置（ＥＰＳ）の概略構成図。
【図２】トルクセンサの概略構成図。
【図３】ＥＰＳの制御ブロック図。
【図４】（ａ）（ｂ）トルクセンサを構成する各レゾルバの正弦信号及び余弦信号の各振幅に関する出力波形を示す波形図。
【図５】トルクセンサの異常判定の処理手順を示すフローチャート。
【図６】正弦信号及び余弦信号の各振幅に関する出力波形と異常相に応じた適合範囲との関係を示す説明図。
【図７】概算電気角の演算及び異常相の振幅推定に関する適合判定の処理手順を示すフローチャート。
【発明を実施するための形態】
【００１８】
以下、本発明を具体化した一実施形態を図面に従って説明する。
図１は、本実施形態のＥＰＳ１の概略構成図である。同図に示すように、ステアリングホイール（ステアリング）２が固定されたステアリングシャフト３は、ラックアンドピニオン機構４を介してラック５に連結されており、ステアリング操作に伴うステアリングシャフト３の回転は、ラックアンドピニオン機構４によりラック５の往復直線運動に変換される。そして、このラック５の往復直線運動により転舵輪６の舵角が変更されるようになっている。
【００１９】
また、ＥＰＳ１は、操舵系にステアリング操作を補助するためのアシスト力を付与する操舵力補助装置としてのＥＰＳアクチュエータ１０と、該ＥＰＳアクチュエータ１０の作動を制御する制御手段としてのＥＣＵ１１とを備えている。
【００２０】
本実施形態のＥＰＳアクチュエータ１０は、その駆動源であるモータ１２がラック５と同軸に配置された所謂ラック型のＥＰＳアクチュエータであり、モータ１２が発生するアシストトルクは、ボールねじ機構（図示略）を介してラック５に伝達される。尚、本実施形態のモータ１２は、ブラシレスモータであり、ＥＣＵ１１から三相（Ｕ，Ｖ，Ｗ）の駆動電力の供給を受けることにより回転する。そして、モータ制御装置としてのＥＣＵ１１は、このモータ１２が発生するアシストトルクを制御することにより、操舵系に付与するアシスト力を制御する（パワーアシスト制御）。
【００２１】
本実施形態では、ＥＣＵ１１には、トルクセンサ１４及び車速センサ１５が接続されている。そして、ＥＣＵ１１は、これらトルクセンサ１４及び車速センサ１５によりそれぞれ検出される操舵トルクτ及び車速Ｖに基づいて、ＥＰＳアクチュエータ１０の作動、即ちパワーアシスト制御を実行する。
【００２２】
次に、本実施形態におけるトルクセンサの構成について説明する。
図２に示すように、本実施形態のトルクセンサ１４は、ステアリングシャフト３の途中に設けられたトーションバー２０とその両端に設けられた一対のレゾルバ２１，２２とを備えてなる所謂ツインレゾルバ型のトルクセンサとして構成されている。
【００２３】
詳述すると、本実施形態のステアリングシャフト３は、コラムシャフト３ａ、インターミディエイトシャフト３ｂ、及びピニオンシャフト３ｃを連結してなり（図１参照）、トーションバー２０は、そのピニオンシャフト３ｃの途中に設けられている。そして、各レゾルバ２１，２２は、それぞれ、このトーションバー２０を介して連結されることによりピニオンシャフト３ｃを構成するインプットシャフト２３及びロアシャフト２４に設けられている。
【００２４】
即ち、本実施形態では、これらインプットシャフト２３及びロアシャフト２４により第１軸及び第２軸が構成されている。そして、以下、説明の便宜のため、トーションバー２０を挟んでステアリング２側に位置するインプットシャフト２３側（同図中、上側）を「イン側」、同じく転舵輪６側に位置するロアシャフト２４側（同図中、下側）を「ロア側」と省略して記載する。
【００２５】
各レゾルバ２１，２２は、それぞれ、その対応するインプットシャフト２３及びロアシャフト２４とともに一体回転するロータコア２５，２６と、各ロータコア２５，２６を囲むように各ロータコア２５，２６の外側に配置された環状のステータコア２７，２８とを備えている。そして、各ステータコア２７，２８は、トルクセンサ１４のハウジング２９に回転不能に固定されている。
【００２６】
本実施形態の各レゾルバ２１，２２は、巻線軸が互いに直交する二相（ｓｉｎ相，ｃｏｓ相）のセンサコイルを備えた一相励磁二相出力型のレゾルバであり、各ステータコア２７，２８には、それぞれ、各一組のセンサコイルＷＳＩs，ＷＳＩc、及びＷＳＬs，ＷＳＬcが巻装されている。そして、各ロータコア２５，２６には、それぞれ、ロータコイルＷＲＩ，ＷＲＬが巻装されている。
【００２７】
また、本実施形態では、各ステータコア２７，２８には、各ロータコイルＷＲＩ，ＷＲＬを励磁するための励磁コイルＷＥＩ，ＷＥＬが巻装されており、各ロータコイルＷＲＩ，ＷＲＬは、この各励磁コイルＷＥＩ，ＷＥＬに、所定の振幅を有する励磁信号Ｖ_ex（正弦波交流信号）が入力されることより励磁される。そして、各ロータコイルＷＲＩ，ＷＲＬが励磁されることで、各センサコイルＷＳＩs，ＷＳＩc、及びＷＳＬs，ＷＳＬcに励磁信号Ｖ_exの振幅に比例した振幅を有する電圧（出力信号）が誘起される。
【００２８】
即ち、一相励磁二相出力型のレゾルバとして構成された各レゾルバ２１，２２は、上記励磁信号Ｖ_exの入力により、それぞれ、その対応するインプットシャフト２３及びロアシャフト２４の回転に応じて正弦波状に振幅が変化する正弦信号Ｖ_Isin，Ｖ_Lsin及び余弦波状に振幅が変化する余弦信号Ｖ_Icos，Ｖ_Lcosを出力する。
【００２９】
そして、本実施形態のＥＣＵ１１は、その励磁信号Ｖ_exを出力し、及び各レゾルバ２１，２２の出力信号を取得することにより、ステアリングシャフト３を介して伝達される操舵トルクτを検出するトルク検出手段として機能するように構成されている。
【００３０】
次に、本実施形態におけるＥＰＳの電気的構成について説明する。
図３に示すように、操舵系にアシスト力を付与すべくＥＰＳアクチュエータ１０の駆動源であるモータ１２の作動を制御するためのモータ制御信号を出力するパワーアシスト制御部３０と、そのモータ制御信号に基づきモータ１２に駆動電力を供給する駆動回路３１とを備えている。
【００３１】
本実施形態では、ＥＣＵ１１には、モータ１２に通電される実電流値Ｉを検出するための電流センサ３３、及びモータ１２の回転角θmを検出するための回転角センサ３４が接続されている。そして、パワーアシスト制御部３０は、これら各センサの出力信号に基づき検出されたモータ１２の実電流値Ｉ及び回転角θm、並びに上記操舵トルクτ及び車速Ｖに基づいて、駆動回路３１に対するモータ制御信号の出力を実行する。
【００３２】
詳述すると、パワーアシスト制御部３０は、ＥＰＳアクチュエータ１０に発生させるべき目標アシスト力に対応した電流指令値Ｉ*を演算する電流指令値演算部３５を備えている。そして、同電流指令値演算部３５は、上記操舵トルクτ及び車速Ｖに基づいて、その操舵トルクτ（の絶対値）が大きいほど、また車速Ｖが小さいほど、より大きなモータトルク、即ちアシスト力を発生させるべき電流指令値Ｉ*を演算する。
【００３３】
この電流指令値演算部３５により算出された電流指令値Ｉ*は、電流センサ３３により検出された実電流値Ｉ、及び回転角センサ３４により検出されたモータ１２の回転角θmとともに、モータ制御信号出力部３６に入力される。そして、モータ制御信号出力部３６は、その目標アシスト力に対応する電流指令値Ｉ*に実電流値Ｉを追従させるべく電流フィードバック制御を実行することにより駆動回路３１に出力するモータ制御信号を生成する。
【００３４】
具体的には、本実施形態では、モータ制御信号出力部３６は、実電流値Ｉとして検出されたモータ１２の相電流値（Ｉu，Ｉv，Ｉw）をｄ／ｑ座標系のｄ，ｑ軸電流値に変換（ｄ／ｑ変換）することにより、上記電流フィードバック制御を行う。
【００３５】
即ち、電流指令値Ｉ*は、ｑ軸電流指令値としてモータ制御信号出力部３６に入力される。また、モータ制御信号出力部３６は、回転角センサ３４により検出された回転角θmに基づいて相電流値（Ｉu，Ｉv，Ｉw）をｄ／ｑ変換し、そのｄ，ｑ軸電流値及びｑ軸電流指令値に基づいてｄ，ｑ軸電圧指令値を演算する。そして、そのｄ，ｑ軸電圧指令値をｄ／ｑ逆変換することにより相電圧指令値（Ｖu*，Ｖv*，Ｖw*）を演算し、当該相電圧指令値に基づいてモータ制御信号を生成する。
【００３６】
そして、本実施形態のＥＣＵ１１は、このようにして生成されたモータ制御信号をパワーアシスト制御部３０が駆動回路３１に出力し、同駆動回路３１がそのモータ制御信号に基づく三相の駆動電力をモータ１２に供給することにより、ＥＰＳアクチュエータ１０の作動を制御する構成となっている。
【００３７】
次に、本実施形態のＥＣＵが備えた操舵トルク検出機能及び異常判定機能について説明する。
図３に示すように、本実施形態のＥＣＵ１１は、上記のようにトルクセンサ１４の各レゾルバ２１，２２に励磁信号Ｖ_exを出力する励磁信号出力部４０と、これらレゾルバ２１，２２が出力する各正弦信号Ｖ_Isin，Ｖ_Lsin及び各余弦信号Ｖ_Icos，Ｖ_Lcosに基づいて操舵トルクτを検出する操舵トルク検出部４１とを備えている。そして、上記パワーアシスト制御部３０は、この操舵トルク検出部４１の出力する操舵トルクτに基づいて、そのパワーアシスト制御を実行する。
【００３８】
詳述すると、操舵トルク検出部４１において、各レゾルバ２１，２２の各出力信号（Ｖ_Isin，Ｖ_Icos及びＶ_Lsin，Ｖ_Lcos）は、それぞれに対応して設けられた振幅演算部４３〜４６に入力されることにより、その振幅（Ａ_Isin，Ａ_Icos及びＡ_Lsin，Ａ_Lcos）が演算される。具体的には、振幅演算部４３，４４において、イン側（図２参照）のレゾルバ２１の出力する正弦信号Ｖ_Isin及び余弦信号Ｖ_Icosの各振幅Ａ_Isin，Ａ_Icosがそれぞれ演算され、振幅演算部４５，４６において、ロア側（図２参照）のレゾルバ２２の出力する正弦信号Ｖ_Lsin及び余弦信号Ｖ_Lcosの各振幅Ａ_Lsin，Ａ_Lcosがそれぞれ演算される。そして、イン側回転角演算部４７において、レゾルバ２１の各出力信号の振幅Ａ_Isin，Ａ_Icosに基づきインプットシャフト２３の回転角（機械角）θIが演算され、ロア側回転角演算部４８において、レゾルバ２１の各出力信号の振幅Ａ_Lsin，Ａ_Lcosに基づきロアシャフト２４の回転角（機械角）θLが演算される。
【００３９】
即ち、二相出力型のトルクセンサである各レゾルバ２１，２２では、次の各式により、当該各レゾルバ２１，２２が出力する正弦信号の振幅（Ａ_Isin，Ａ_Lsin）及び余弦信号の振幅（Ａ_Icos，Ａ_Lcos）に基づいて、インプットシャフト２３の電気角θIe及びロアシャフト２４の電気角θLeを演算することができる。
【００４０】
θIe＝arctan（Ａ_Isin／Ａ_Icos）    ・・・（１）
θLe＝arctan（Ａ_Lsin／Ａ_Lcos）    ・・・（２）
ここで、本実施形態では、イン側のレゾルバ２１の電気角倍率は「５倍（５Ｘ）」に設定され、ロア側のレゾルバ２２の電気角倍率は「６倍（６Ｘ）」に設定されている（図４（ａ）（ｂ）参照）。
【００４１】
また、イン側回転角演算部４７及びロア側回転角演算部４８は、その電気角回転数ｎI，ｎLをカウントする。具体的には、本実施形態のイン側回転角演算部４７及びロア側回転角演算部４８は、各電気角θIe，θLeが「３６０°から０°に移行した場合」に、各電気角回転数ｎI，ｎLのカウント値を加算（＋１）し、各電気角θIe，θLeが「０°から３６０°に移行した場合」に、そのカウント値を減算（−１）する。尚、この場合における「３６０°」は、言うまでもなく、その分解能の限りにおいて、最も「３６０°」に近い角度を示すものである。
【００４２】
そして、イン側回転角演算部４７及びロア側回転角演算部４８は、上記（１）（２）式より得られた各電気角θIe，θLe、及び各レゾルバ２１，２２の電気角倍率、並びにその電気角回転数ｎI，ｎLを、次の各式に代入することにより、インプットシャフト２３及びロアシャフト２４の各回転角（機械角）θI，θLを演算する。
【００４３】
θI＝（θIe＋２π×ｎI）／５      ・・・（３）
θL＝（θLe＋２π×ｎL）／６      ・・・（４）
これらイン側回転角演算部４７及びロア側回転角演算部４８において演算されたインプットシャフト２３及びロアシャフト２４の各回転角θI，θLは、操舵トルク演算部４９に入力される。そして、操舵トルク演算部４９は、次式のように、これらインプットシャフト２３及びロアシャフト２４の回転角差、即ち、トーションバー２０の捻れ角に、そのバネ定数Ｋを乗ずることにより、当該トーションバー２０を介して伝達されるトルク、即ち操舵トルクτを演算する構成となっている。
【００４４】
τ＝（θI−θL）×Ｋ      ・・・（５）
また、本実施形態の操舵トルク検出部４１には、異常判定部５０が設けられており、同異常判定部５０には、各レゾルバ２１，２２の各出力信号（Ｖ_Isin，Ｖ_Icos及びＶ_Lsin，Ｖ_Lcos）が入力されるようになっている。そして、異常判定部５０は、その入力される各出力信号を監視、具体的には、当該各出力信号が「正常時に取り得る範囲」にあるか否かを判定することにより、トルクセンサ１４の異常判定を実行する。
【００４５】
詳述すると、図５のフローチャートに示すように、異常判定部５０は、先ずロア側のレゾルバ２２が出力する正弦信号Ｖ_Lsinが正常であるか否かを判定し（ステップ１０１）、同正弦信号Ｖ_Lsinが正常である場合（ステップ１０１：ＹＥＳ）には、その余弦信号Ｖ_Lcosが正常であるか否かを判定する（ステップ１０２）。
【００４６】
次に、レゾルバ２２の余弦信号Ｖ_Lcosが正常である場合（ステップ１０２：ＹＥＳ）には、イン側のレゾルバ２１が出力する正弦信号Ｖ_Isinが正常であるか否かを判定し（ステップ１０３）、同正弦信号Ｖ_Ｉsinが正常である場合（ステップ１０３：ＹＥＳ）には、その余弦信号Ｖ_Icosが正常であるか否かを判定する（ステップ１０４）。
【００４７】
そして、レゾルバ２１の余弦信号Ｖ_Icosが正常である場合（ステップ１０４：ＹＥＳ）、即ち、各レゾルバ２１，２２の各出力信号（Ｖ_Isin，Ｖ_Icos及びＶ_Lsin，Ｖ_Lcos）が全て正常である場合（ステップ１０１〜ステップ１０４：すべてＹＥＳ）に、トルクセンサ１４は正常であると判定する（ステップ１０５）。
【００４８】
一方、上記ステップ１０４において、イン側のレゾルバ２１が出力する余弦信号Ｖ_Icosが異常であると判定した場合（ステップ１０４：ＮＯ）、本実施形態の異常判定部５０は、当該レゾルバ２１の余弦信号Ｖ_Icosが異常となる信号故障が発生したものと判定する（ステップ１０６）。
【００４９】
また、上記ステップ１０３において、イン側のレゾルバ２１が出力する正弦信号Ｖ_Ｉsinが異常であると判定した場合（ステップ１０３：ＮＯ）には、上記ステップ１０４と同様に、その余弦信号Ｖ_Icosが正常であるか否かを判定する（ステップ１０７）。そして、レゾルバ２１の余弦信号Ｖ_Icosが正常である場合（ステップ１０７：ＹＥＳ）には、イン側のレゾルバ２１が出力する正弦信号Ｖ_Ｉsinが異常となる信号故障が発生したものと判定する（ステップ１０８）。
【００５０】
同様に、上記ステップ１０２において、ロア側のレゾルバ２２が出力する余弦信号Ｖ_Lcosが異常であると判定した場合（ステップ１０２：ＮＯ）には、続いてイン側のレゾルバ２１が出力する正弦信号Ｖ_Isinが正常であるか否かを判定する（ステップ１０９）。そして、レゾルバ２１の正弦信号Ｖ_Ｉsinが正常である場合（ステップ１０９：ＹＥＳ）には、続いてその余弦信号Ｖ_Icosが正常であるか否かを判定し（ステップ１１０）、同余弦信号Ｖ_Icosが正常である場合（ステップ１１０）には、ロア側のレゾルバ２２が出力する余弦信号Ｖ_Lcosが異常となる信号故障が発生したものと判定する（ステップ１１１）。
【００５１】
更に、上記ステップ１０１において、ロア側のレゾルバ２２が出力する正弦信号Ｖ_Lsinが異常であると判定した場合（ステップ１０１：ＮＯ）には、その余弦信号Ｖ_Lcosが正常であるか否かを判定する（ステップ１１２）。次に、レゾルバ２２の余弦信号Ｖ_Lcosが正常である場合（ステップ１１２：ＹＥＳ）には、イン側のレゾルバ２１が出力する正弦信号Ｖ_Isinが正常であるか否かを判定し（ステップ１１３）、同正弦信号Ｖ_Ｉsinが正常である場合（ステップ１１３：ＹＥＳ）には、その余弦信号Ｖ_Icosが正常であるか否かを判定する（ステップ１１４）。そして、レゾルバ２１の余弦信号Ｖ_Icosが正常である場合（ステップ１１４：ＹＥＳ）には、ロア側のレゾルバ２２が出力する正弦信号Ｖ_Lsinが異常となる信号故障が発生したものと判定する（ステップ１１５）。
【００５２】
また、本実施形態の異常判定部５０は、上記ステップ１１２において、ロア側のレゾルバ２２が出力する余弦信号Ｖ_Lcosが異常であると判定した場合（ステップ１１２：ＮＯ）には、トルクセンサ１４に異常が生じたものと判定する（ステップ１１６）。更に、上記ステップ１０９，１１３において、イン側のレゾルバ２１が出力する正弦信号Ｖ_Isinが異常であると判定した場合（ステップ１０９：ＮＯ、又はステップ１１３：ＮＯ）にも、トルクセンサ１４に異常が生じたものと判定する（ステップ１１６）。そして、上記ステップ１０７，１１０，１１４において、イン側のレゾルバ２１が出力する余弦信号Ｖ_Icosが異常であると判定した場合（ステップ１０７：ＮＯ、ステップ１１０：ＮＯ、ステップ１１４：ＮＯ）にも、トルクセンサ１４に異常が生じたものと判定する（ステップ１１６）。
【００５３】
即ち、本実施形態の異常判定部５０は、各レゾルバ２１，２２が出力する合計４相の信号（Ｖ_Isin，Ｖ_Icos，Ｖ_Lsin，Ｖ_Lcos）のうち、少なくとも二つ以上の信号が異常であると判定された場合に、トルクセンサ１４に異常が生じたものと判定する。そして、これら各出力信号のうちの何れか一つのみが異常である場合には、即座にトルクセンサ１４の異常とは判定せず、当該相の出力信号が異常となる信号故障が発生したものと判定するようになっている。尚、こうした信号故障は、例えば、信号配線の断線や地絡等により引き起こされるものである。
【００５４】
本実施形態では、こうした異常判定部５０による異常判定の結果は、異常検出信号Ｓ_trとして上記パワーアシスト制御部３０に入力される。そして、同パワーアシスト制御部３０は、その異常検出信号Ｓ_trがトルクセンサ１４の異常を示すものである場合には、その電流指令値Ｉ*の出力、即ちそのパワーアシスト制御の実行を停止し、速やかにフェールセーフを図る構成となっている。
【００５５】
（一相信号故障発生時の継続制御）
次に、本実施形態のＥＰＳにおける一相信号故障発生時の継続制御の態様について説明する。
【００５６】
上述のように、上記異常判定部５０は、各レゾルバ２１，２２が出力する合計４相の信号（Ｖ_Isin，Ｖ_Icos，Ｖ_Lsin，Ｖ_Lcos）のうちの何れか一つのみが異常である場合、即ち一相信号故障発生時には、即座にトルクセンサ１４の異常とは判定しない。そして、本実施形態のＥＰＳ１は、このような場合、その信号故障の生じたレゾルバの各出力信号のうち正常な出力信号の振幅に基づいて、当該信号故障が発生したレゾルバが設けられた側の回転角を演算することにより操舵トルクτを検出し、そのパワーアシスト制御を継続する。
【００５７】
詳述すると、図３に示すように、異常判定部５０の出力する異常検出信号Ｓ_trは、上記イン側回転角演算部４７及びロア側回転角演算部４８にも入力される。そして、各イン側回転角演算部４７及びロア側回転角演算部４８は、その対応する各レゾルバ２１，２２が出力する各正弦信号及び各余弦信号の何れか一方の出力信号が異常となる信号故障が発生した場合には、他方の正常な出力信号の振幅に基づいて、その対応する各軸（イン側又はロア側）の回転角を演算する。
【００５８】
即ち、本実施形態の各レゾルバ２１，２２のような一相励磁二相出力型のレゾルバでは、その二相の出力信号の振幅間（正弦信号の振幅と余弦信号の振幅との間）には、三平方の定理が成立する。
【００５９】
つまり、正弦信号及び余弦信号の各振幅の二乗和は「１」となることから、その二乗和の式を「（異常相の振幅の二乗）＝１−（正常相の振幅の二乗）」のように整理して左辺の平方根を求めることにより、異常と判定された出力信号についても、その異常がないとした場合における振幅（の絶対値）を推定することができる。
【００６０】
また、更に、上記二乗和の式を解く際、その「１」の項を、信号故障の生じていない他方側のレゾルバが出力する正弦信号及び余弦信号の各振幅の二乗和とすることで、温度変化の影響を補正することができる。
【００６１】
そして、本実施形態のイン側回転角演算部４７及びロア側回転角演算部４８は、これを利用して、その異常であると判定された出力信号に応じた次の各式を解くことで、その異常と判定された出力信号に当該異常がないとした場合における振幅を推定する。
【００６２】
Ａ_Icos＾２＝（Ａ_Lsin＾２＋Ａ_Lcos＾２）−Ａ_Isin＾２      ・・・（６）
Ａ_Isin＾２＝（Ａ_Lsin＾２＋Ａ_Lcos＾２）−Ａ_Icos＾２      ・・・（７）
Ａ_Lcos＾２＝（Ａ_Icos＾２＋Ａ_Isin＾２）−Ａ_Lsin＾２      ・・・（８）
Ａ_Lsin＾２＝（Ａ_Icos＾２＋Ａ_Isin＾２）−Ａ_Lcos＾２      ・・・（９）
尚、上記（６）〜（９）式において、「＾２」は「二乗」の意味である。また、これらの各式においては、その左辺が異常と判定された出力信号の振幅の二乗である。そして、その推定された振幅を基礎として、上記（１）（２）式により、対応するレゾルバ２１，２２の電気角θIe，θLeを演算し、及び上記（３）（４）式により、対応するインプットシャフト２３及びロアシャフト２４の各回転角（機械角）θI，θLを演算することが可能となる。
【００６３】
しかしながら、上記各式を解くことで得られる値は、あくまで絶対値である。そこで、本実施形態では、イン側回転角演算部４７及びロア側回転角演算部４８は、上記のような振幅の推定に先立って、その信号故障の生じていないレゾルバが設けられた側の回転角（機械角）に基づいて、当該信号故障の生じたレゾルバの電気角を概算する。
【００６４】
即ち、本実施形態では、イン側回転角演算部４７及びロア側回転角演算部４８により概算手段が構成されている。尚、その電気角の概算は、回転角（θI，θL）に、概算対象となるレゾルバ２１，２２の電気角倍率（５又は６）を乗じた値を「３６０°」で除した場合の余りを求めることにより実行可能である。
【００６５】
そして、本実施形態のイン側回転角演算部４７及びロア側回転角演算部４８は、その概算された電気角（概算電気角）が、上記（６）〜（９）式に基づき推定される振幅の符号を特定することが可能な範囲（電気角範囲）内にある場合にのみ、当該各式に基づく振幅の推定を実行する構成となっている。
【００６６】
即ち、図６に示すように、余弦信号の振幅（Ａ_Icos，Ａ_Lcos）の符号は、その電気角が「０°〜９０°」及び「２７０°〜３６０°」の範囲において「正（＋）」となり、「９０°〜２７０°」の範囲において「負（−）」となる。尚、説明の便宜上、その振幅の値が「０」である場合の符号については、これを無視する。同様に、正弦信号の振幅（Ａ_Isin，Ａ_Lsin）の符号は、その電気角が「０°〜１８０°」の範囲において「正（＋）」となり、「９０°〜２７０°」の範囲において「負（−）」となる。従って、仮に上記概算電気角がその真の値と一致するとすれば、上記（６）〜（９）式を解くことで得られる値の符号も特定することが可能である。
【００６７】
ここで、当然ながら、各レゾルバ２１，２２が、トーションバー２０を挟んで並置されることによりトルクセンサ１４を構成するものである以上、概算電気角が真の値と一致するとは限らない。そのため、トーションバー２０が捩れることにより生ずるインプットシャフト２３とロアシャフト２４と間の回転角差により、その概算電気角の符号が、真の電気角の符号と逆転してしまう可能がある。
【００６８】
しかし、トーションバー２０の捻れ角にも限りがある（本実施形態では約１°程度）。従って、そのトーションバー２０の捻れにより生ずるインプットシャフト２３とロアシャフト２４と間の回転角差によっても上記のような符号の逆転が生じない範囲、つまり上記（６）〜（９）式に基づき推定される振幅の符号を特定することが可能な範囲が存在する。そして、本実施形態のイン側回転角演算部４７及びロア側回転角演算部４８は、その概算電気角が、こうした範囲内にある場合にあるか否かに基づいて、当該各式に基づく振幅の推定についての適合判定を実行する。即ち、本実施形態では、イン側回転角演算部４７及びロア側回転角演算部４８により、適合判定手段が構成されている。
【００６９】
具体的には、本実施形態では、その振幅の推定を行なうのに適した適合範囲、即ち上記のような符号の逆転が生じない範囲として、異常と判定された出力信号に当該異常がないとした場合におけるその振幅変化が、正常な出力信号の振幅変化よりも小さな範囲に設定される。
【００７０】
より具体的には、先ず、異常と判定された出力信号の振幅（の絶対値）が、当該異常のない場合に最大となる電気角を基準電気角θ０として設定する。即ち、基準電気角θ０は、異常と判定された出力信号が余弦信号（Ｖ_Icos，Ｖ_Lcos）である場合には「０°（３６０°）」及び「１８０°」となり、正弦信号（Ｖ_Isin，Ｖ_Lsin）である場合には、「９０°」及び「２７０°」となる（図６参照）。次に、その異常と判定された出力信号の振幅波形と正常な出力信号の振幅波形とが交差する電気角を交差電気角θ１として設定するとともに、上記基準電気角θ０を挟んで当該交差電気角θ１と対称の位置関係にある電気角を対称電気角θ２として設定する。即ち、その異常と判定された出力信号の如何を問わず、交差電気角θ１は、正弦信号の振幅波形と余弦信号の振幅波形とが交差する「４５°」及び「２２５°」となり、対称電気角θ２は、「１３５°」及び「３１５°」である。そして、本実施形態では、その交差電気角θ１から対称電気角θ２までの範囲（基準電気角θ０から交差電気角θ１までの範囲、及び基準電気角θ０から対称電気角θ２までの範囲）が、上記適合範囲として設定される。
【００７１】
即ち、図６に示すように、上記適合範囲は、異常と判定された出力信号が余弦信号（Ｖ_Icos，Ｖ_Lcos）である場合には「０°〜４５°」「１３５°〜２２５°」及び「３１５°〜３６０°」となり、正弦信号（Ｖ_Isin，Ｖ_Lsin）である場合には、「４５°〜１３５°」及び「２２５°〜３１５°」となる（図６参照）。
【００７２】
そして、本実施形態のイン側回転角演算部４７及びロア側回転角演算部４８は、上記の概算電気角（θer）が、これらの適合範囲内、即ち上記符号の逆転しない範囲内にある場合には、その概算電気角から符号を特定し、上記（６）〜（９）式に基づき振幅を推定する。
【００７３】
詳述すると、図７のフローチャートに示すように、イン側回転角演算部４７及びロア側回転角演算部４８は、その対応するレゾルバ２１，２２に一相信号故障が発生した場合には、先ず、上記のように、信号故障の生じていない他方側の回転角（機械角）に基づいて、当該信号故障の生じたレゾルバの概算電気角θerを演算する（ステップ２０１）。
【００７４】
次に、イン側回転角演算部４７及びロア側回転角演算部４８は、その異常と判定された出力信号が余弦信号（Ｖ_Icos，Ｖ_Lcos）であるか否かを判定し（ステップ２０２）、余弦信号である場合（ステップ２０２：ＹＥＳ）には、上記ステップ２０１において求めた概算電気角が上記の適合範囲内にあるか否かを判定する。
【００７５】
具体的には、先ず、その概算電気角θerが「０°〜４５°」又は「３１５°〜３６０°」の範囲内にあるか否かを判定する（０°≦θer≦４５°又は３１５°≦θer≦３６０°、ステップ２０３）。そして、概算電気角θerが当該ステップ２０３に示される範囲内にある場合（ステップ２０３：ＹＥＳ）には、その対応する上記（６）（８）式に基づき推定される振幅の符号、即ち当該各式左辺の平方根の符号を「正（＋）」と特定する（ステップ２０４、図６参照）。
【００７６】
一方、概算電気角θerが上記ステップ２０３に示される範囲内にない場合（ステップ２０３：ＮＯ）には、続いて、その概算電気角θerが「１３５°〜２２５°」の範囲内にあるか否かを判定する（１３５°≦θer≦２２５°、ステップ２０５）。そして、概算電気角θerが当該ステップ２０５に示される範囲内にある場合（ステップ２０３：ＹＥＳ）には、その対応する上記（６）（８）式左辺の平方根の符号を「負（−）」と特定する（ステップ２０６、図６参照）。
【００７７】
また、上記ステップ２０２において、異常と判定された出力信号が正弦信号（Ｖ_Isin，Ｖ_Lsin）であると判定した場合（ステップ２０２：ＮＯ）には、先ず、その概算電気角θerが「４５°〜１３５°」の範囲内にあるか否かを判定する（４５°≦θer≦１３５°、ステップ２０７）。そして、概算電気角θerが当該ステップ２０７に示される範囲内にある場合（ステップ２０７：ＹＥＳ）には、上記ステップ２０４において、その対応する上記（７）（７）式左辺の平方根の符号を「正（＋）」と特定する（図６参照）。
【００７８】
一方、概算電気角θerが上記ステップ２０７に示される範囲内にない場合（ステップ２０７：ＮＯ）には、続いて、その概算電気角θerが「２２５°〜３１５°」の範囲内にあるか否かを判定する（２２５°≦θer≦３１５°、ステップ２０８）。そして、概算電気角θerが当該ステップ２０８に示される範囲内にある場合（ステップ２０８：ＹＥＳ）には、上記ステップ２０６において、その対応する上記（７）（９）式左辺の平方根の符号を「負（−）」と特定する（図６参照）。
【００７９】
そして、上記ステップ２０４又はステップ２０６において、対応する上記（６）〜（９）式左辺の平方根の符号が特定した後、その対応する式及び特定した符号を用いて、異常と判定された出力信号（異常相）の振幅を推定する（ステップ２０９）。
【００８０】
尚、上記ステップ２０３及びステップ２０５に示される範囲内にない場合（ステップ２０３，２０５：何れもＮＯ）、又は上記ステップ２０７及びステップ２０８に示される範囲内にない場合（ステップ２０７，２０８：何れもＮＯ）には、異常相の振幅推定には適合しないものと判定し、その推定を行なわない（ステップ２１０）。
【００８１】
本実施形態のイン側回転角演算部４７及びロア側回転角演算部４８は、このようにして、上記概算電気角θerの演算、及び異常相の振幅推定に関する適合判定を実行する。そして、その異常と判定された出力信号に当該異常がないとした場合の振幅が推定可能である場合には、その振幅を用いて対応するレゾルバ２１，２２の電気角θIe，θLeを演算し、及び対応するインプットシャフト２３及びロアシャフト２４の各回転角（機械角）θI，θLを演算する構成となっている。
【００８２】
尚、本実施形態では、上記のような異常相の振幅推定に関する適合判定において、概算電気角θerが上記適合範囲内になく、その振幅推定が行なわれなかった場合、操舵トルク検出部４１（操舵トルク演算部４９）は、パワーアシスト制御部３０に対して操舵トルクτを出力しない。
【００８３】
そして、本実施形態では、これにより、そのレゾルバ２１，２２の何れか一つの出力信号に異常が発生した場合においても高精度な操舵トルク検出を可能として、そのアシスト力付与の継続を図るとともに、併せて高い安全性を確保することが可能な構成となっている。
【００８４】
以上、本実施形態によれば、以下のような作用・効果を得ることができる。
（１）イン側回転角演算部４７及びロア側回転角演算部４８は、対応する各レゾルバ２１，２２が出力する各正弦信号及び各余弦信号の何れか一方の出力信号が異常となる信号故障が発生した場合には、信号故障の生じていないレゾルバが設けられた側の回転角（機械角）に基づいて、当該信号故障の生じたレゾルバの電気角を概算する。次に、その概算電気角θerが、トーションバー２０が捩れることにより生ずるインプットシャフト２３とロアシャフト２４と間の回転角差により、真の電気角と符号が逆転しない範囲にあるか否かを判定する。そして、当該符号の逆転が生じない範囲内にある場合には、同概算電気角θerから符号を特定した上で、他方の正常な出力信号の振幅に基づいて、その異常と判定された出力信号に当該異常がないとした場合の振幅を推定することにより、対応する各軸の回転角を演算する。
【００８５】
即ち、一相励磁二相出力型のレゾルバでは、その二相の出力信号の振幅間、つまり正弦信号の振幅と余弦信号の振幅との間には、三平方の定理が成立する。従って、その二相の出力信号の何れか一方が異常と判定された場合であっても、正弦信号及び余弦信号の各振幅についての二乗和の式を解くことにより、他方の正常な出力信号の振幅に基づいて、その異常と判定された出力信号（異常相）に当該異常がないとした場合の振幅を推定することが可能である。しかしながら、その二乗和の式を解くことで得られる値は、あくまで絶対値のみである。
【００８６】
この点、上記構成によれば、信号故障の生じたレゾルバの電気角が、その符号の逆転が生じない範囲（電気角範囲）、即ち異常相の振幅の符号を特定することが可能な範囲においてのみ、その異常相の振幅推定を実行することが可能になる。その結果、トルクセンサ１４を構成する各レゾルバ２１，２２の何れか一つの出力信号に異常が発生した場合においても高精度な操舵トルク検出を可能として、そのアシスト力付与を継続することができるとともに、併せて高い安全性を確保することができる。
【００８７】
（２）符号の逆転が生じない範囲、即ち概算電気角θerが、異常相の振幅推定を行なうのに適した範囲にあるか否かを判定する際の判定基準となる適合範囲は、その異常と判定された出力信号に当該異常がないとした場合におけるその振幅変化が、正常な出力信号の振幅変化よりも小さな範囲に設定される。このように設定することで、確実に、符号の逆転が生じない範囲にあるか否かを判定することができるようになる。
【００８８】
（３）適合範囲の設定は、先ず、異常と判定された出力信号の振幅（の絶対値）が、当該異常のない場合に最大となる電気角を基準電気角θ０として設定する。次に、その異常と判定された出力信号の振幅波形と正常な出力信号の振幅波形とが交差する電気角を交差電気角θ１として設定するとともに、上記基準電気角θ０を挟んで当該交差電気角θ１と対称の位置関係にある電気角を対称電気角θ２として設定する。そして、その交差電気角θ１から対称電気角θ２までの範囲（基準電気角θ０から交差電気角θ１までの範囲、及び基準電気角θ０から対称電気角θ２までの範囲）が、上記適合範囲として設定される。
【００８９】
即ち、この設定範囲内では、その異常と判定された出力信号に当該異常がないとした場合におけるその振幅変化は、正常な出力信号の振幅変化よりも小さな値をとる。従って、上記構成によれば、より確実に、符号の逆転が生じない範囲にあるか否かを判定することができるようになる。
【００９０】
なお、上記実施形態は以下のように変更してもよい。
・上記実施形態では、本発明をＥＰＳ１のトルクセンサ１４に具体化したが、本発明は、ＥＰＳ以外の用途に用いられるトルクセンサに具体化してもよい。また、ＥＰＳに適用する場合であっても、所謂ラックアシスト型に限らず所謂ピニオン型や所謂コラム型のＥＰＳであってもよい。そして、そのトーションバー２０が配置される位置については、ピニオンシャフト３ｃに限らず、コラムシャフト３ａやインターミディエイトシャフト３ｂであってもよい。
【００９１】
・上記実施形態では、異常相の振幅を推定すべく、正弦信号及び余弦信号の各振幅についての二乗和の式を解く際、その「１」の項を、信号故障の生じていない他方側のレゾルバが出力する正弦信号及び余弦信号の各振幅の二乗和とすることで、温度変化の影響を補正することとした。しかし、これに限らず、当該項は「１」のまま、或いは、その他の方法で求められた適当な補正値を用いる構成としてもよい。
【００９２】
・上記実施形態では、イン側のレゾルバ２１の電気角倍率は「５倍（５Ｘ）」に設定され、ロア側のレゾルバ２２の電気角倍率は「６倍（６Ｘ）」に設定されることとした。しかし、これに限らず、本発明は、イン側及びロア側の電気角倍率が等しいもの（例えば、ともに「８倍（８Ｘ）」等）に適用してもよい。
【００９３】
・上記実施形態では、異常相の振幅推定に関する適合判定において、概算電気角θerが上記適合範囲内になく、その振幅推定が行なわれなかった場合、操舵トルク検出部４１（操舵トルク演算部４９）は、パワーアシスト制御部３０に対して操舵トルクτを出力しないこととした。しかし、これに限らず、例えば、ステアリングシャフト３が連続回転している場合、即ち各レゾルバ２１，２２の回転が連続している場合には、概算電気角θerが上記適合範囲内にない場合でも、直前に当該適合範囲内に概算電気角θerがあった時点の符号を引き継いで、その異常相の振幅推定を実行する構成としてもよい。これにより、一相信号故障時においても、連続的にアシスト力を付与することが可能となり、その結果、優れた操舵フィーリングを実現することができる。
【００９４】
次に、以上の実施形態から把握することのできる技術的思想を効果とともに記載する。
（イ）請求項１〜請求項３のうち何れか一項に記載のトルクセンサにおいて、
前記トルク検出手段は、前記異常と判定された出力信号に該異常がないとした場合における出力信号の振幅を推定する際に、前記信号故障の生じていないレゾルバの各出力信号に基づいて、その推定される振幅を補正すること、を特徴とするトルクセンサ。これにより、より高精度のトルク検出ができるようになる。
【符号の説明】
【００９５】
１…電動パワーステアリング装置（ＥＰＳ）、２…ステアリング、３…ステアリングシャフト、３ｃ…ピニオンシャフト、６…転舵輪、１０…ＥＰＳアクチュエータ、１１…ＥＣＵ、１２…モータ、１４…トルクセンサ、２０…トーションバー、２１，２２…レゾルバ、２３…インプットシャフト、２４…ロアシャフト、３０…パワーアシスト制御部、３１…駆動回路、４１…操舵トルク検出部、４３〜４６…振幅演算部、４７…イン側回転角演算部、４８…ロア側回転角演算部、５０…異常判定部、τ…操舵トルク、Ｖ_Isin，Ｖ_Lsin…正弦信号、Ａ_Isin，Ａ_Lsin…振幅、Ｖ_Icos，Ｖ_Lcos…余弦信号、Ａ_Icos，Ａ_Lcos…振幅、θI，θL…回転角（機械角）、θIe，θLe…電気角、θer…概算電気角、θ０…基準電気角、θ１…交差電気角、θ２…対称電気角。
【図１】
2010286310.tif 000003
【図２】
2010286310.tif 000004
【図３】
2010286310.tif 000005
【図４】
2010286310.tif 000006
【図５】
2010286310.tif 000007
【図６】
2010286310.tif 000008
【図７】
2010286310.tif 000009